(57)【要約】【課題】正確な形状のクラウニングを効率よく形成することができ、安定して高い品質を確保しやすい、クラウニング付歯車と、クラウニング付歯車の製造方法及び装置を提供する。【解決手段】冷間鍛造によってクラウニングが形成された歯車において、歯先が軸方向両端間で円筒形状の面に沿って形成されており、ピッチ円が軸方向両端間で円弧形状の曲面に沿って形成されており、歯底が軸方向両端間で円弧形状の曲面に沿って形成されている。【選択図】図１２
2011016162.tif 000002
【特許請求の範囲】
【請求項１】
冷間鍛造によってクラウニングが形成された歯車において、歯先が軸方向両端間で円筒形状の面に沿って形成されており、ピッチ円が軸方向両端間で円弧形状の曲面に沿って形成されており、歯底が軸方向両端間で円弧形状の曲面に沿って形成されていることを特徴とするクラウニング付歯車。
【請求項２】
請求項１に記載のクラウニング付歯車を製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を、ピッチ円が軸方向に円弧形状の曲面に沿うように弾性変形させ、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【請求項３】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項２に記載のクラウニング付歯車の製造方法。
【請求項４】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、
次に、型の上側係合面に外側パンチの内側テーパを押圧して型の上側部分を内向きに弾性変形させて、被加工品の上側部分にクラウニング付歯形を形成することを特徴とする請求項２又は３に記載のクラウニング付歯車の製造方法。
【請求項５】
被加工品の上側部分と下側部分に同一のクラウニング量を付けることを特徴とする請求項２に記載のクラウニング付歯車の製造方法。
【請求項６】
被加工品の上側部分と下側部分に互いに異なるクラウニング量を付けることを特徴とする請求項２に記載のクラウニング付歯車の製造方法。
【請求項７】
被加工品の中心に貫通穴が形成されていて、その貫通穴にセンターピンを入れた状態のまま、被加工品の上側部分と下側部分にクラウニングを付けることを特徴とする請求項２〜６のいずれか１項に記載のクラウニング付歯車の製造方法。
【請求項８】
被加工品の中心に貫通穴が形成されておらず、センターピンを使用せずに、型に入れたまま、被加工品の上側部分と下側部分にクラウニングを付けることを特徴とする請求項２〜６のいずれか１項に記載のクラウニング付歯車の製造方法。
【請求項９】
請求項１に記載のクラウニング付歯車を製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【請求項１０】
型の下端に位置決め座金を設けて、テーパ穴付リングに対する型の位置を決めることによりクラウニング量を調整することを特徴とする請求項９に記載のクラウニング付歯車の製造装置。
【請求項１１】
クラウニング量を調整するために、テーパ穴付リングの上に外側パンチ停止位置調整手段が設けられていることを特徴とする請求項９又は１０に記載のクラウニング付歯車の製造装置。
【請求項１２】
被加工品の中心に貫通穴が形成されており、その貫通穴にセンターピンを入れた状態のまま、外側パンチ、パンチスリーブ及びノックアウトスリーブを用いて、被加工品の上側部分と下側部分にクラウニングを形成することを特徴とする請求項９〜１１のいずれか１項に記載のクラウニング付歯車の製造装置。
【請求項１３】
被加工品の中心に貫通穴が形成されておらず、センターピンを使用せずに、外側パンチ、パンチピン及びノックアウトピンを用いて、被加工品の上側部分と下側部分にクラウニングを形成することを特徴とする請求項９〜１１のいずれか１項に記載のクラウニング付歯車の製造装置。
【請求項１４】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項９〜１３のいずれか１項に記載のクラウニング付歯車の製造装置。
【請求項１５】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、続いて、型の上側係合面に外側パンチの内側テーパを押圧して型の上側部分を内向きに弾性変形させて、被加工品の上側部分にクラウニング付歯形を形成することを特徴とする請求項９〜１４のいずれか１項に記載のクラウニング付歯車の製造装置。
【請求項１６】
請求項１に記載のクラウニング付歯車を製造するための金型であって、クラウニング付歯車の歯底の円弧形状に相当する円弧形状が金型の外側に形成されており、金型の内側に円筒歯形が形成されており、金型が弾性変形する型材で作られていることを特徴とする金型。
【請求項１７】
弾性変形をしやすくするために、金型の厚みが、入口で小さく、最奥位置で大きくなっていることを特徴とする請求項１６に記載の金型。
【発明の詳細な説明】
【技術分野】
【０００１】
本発明は、クラウニング付歯車と、クラウニング付歯車の製造方法及び装置に関する。クラウニング付歯車は、歯車の歯すじの方向に適当なふくらみをつけて、歯厚が軸方向中心部から軸方向両端部に向って薄くなる歯車である。
【背景技術】
【０００２】
鍛造加工によるクラウニング付歯車の製造方法は、特開２００７−１６７８６２（特許文献１）、特開２００３−２４５７４６（特許文献２）、特開２００３−２２０４４２（特許文献３）等に開示されている。
【０００３】
特許文献１においては、クラウニングのない内歯歯車状の歯形を内周面に有するコアが、リングの内壁面の中に、リングの軸心方向に圧入され、そのとき、コアの外周面が変形し、それに伴ってコアの内周面の歯形にクラウニングが付けられる片側クラウニング法や、クラウニングのない内歯歯車状の歯形を内周面に有するコアが、その外周面に、クラウニングをつけるための締め代用の増量部を有し、そのようなコアが、リングのテーパ状内壁面の中に、リングの軸心方向に圧入され、増量部が変形してテーパ状となり、それに伴ってコアの内周面の歯形にクラウニングが付けられる片側クラウニング法が記載されている。
【０００４】
特許文献２に記載されているクラウンギヤの冷間鍛造装置においては、内周面又は外周面の一方の面に歯厚が全長に亘って略等厚となる成型歯を形成し、他方の面をテーパー面に形成してなる環状のダイスを、そのテーパー面を介してダイスガイドにテーパー嵌合させ、少なくとも一方のテーパー面の軸方向両端部に半径方向に膨出する環状の膨出部を設け、外周又は内周に粗歯が形成された中間製品をダイスに嵌合させるとともにその粗歯をダイスの成型歯に噛合させ、ダイスとダイスガイドとのうちの少なくとも一方を他方に対してダイスが半径方向に弾性変形する軸方向に相対移動させるダイスパンチを設ける。
【０００５】
特許文献３においては、歯厚が一定の外歯歯車である粗材の歯をクラウニング付歯形に成形するクラウニング付歯形の鍛造成形方法が示されている。上パンチの押圧により粗材の歯を下端から第１空間に挿入して歯の下端から中央部までクラウニングを成形し、第１空間と上ダイの第２空間が滑らかに繋がるように下ダイと上ダイを密着させた後、下ダイ内に保持された粗材を下パンチの押圧により上端から第２空間に挿入して歯の上端から中央部にクラウニングを成形する。
【先行技術文献】
【特許文献】
【０００６】
【特許文献１】特開２００７−１６７８６２
【特許文献２】特開２００３−２４５７４６
【特許文献３】特開２００３−２２０４４２
【発明の概要】
【発明が解決しようとする課題】
【０００７】
特許文献１に記載の片側クラウニング成形方法によって両端にクラウニングを付ける場合は、歯車を１つの型の中に入れたまま、歯車の上半分と下半分にクラウニングを付けることができず、一回目に片側を成形し、反対側は歯車を型から出して反転してから、二回目の成形をしなければならない。二回目の成形荷重により一回目に成形したクラウニングの精度を悪化させてしまう恐れがある。
【０００８】
特許文献２に記載の発明によれば、大量生産時にクラウニング量を上下個別に調節することが容易にできない。ダイスガイドのテーパー穴に膨出部を設けるので、膨出部を形成することが容易ではない。調整作業が困難であり、効率が悪いだけでなく、安定した品質が確保しがたい。
【０００９】
特許文献３の発明においては、互いに密着させる上ダイと下ダイとを使用して、粗材の歯を下ダイの第１空間と上ダイの第２空間で別々にクラウニングを成形する。効率が悪いだけでなく、安定した品質が確保しがたい。
【００１０】
本発明の目的は、正確な形状のクラウニングを効率よく形成することができ、安定して高い品質を確保しやすい、クラウニング付歯車と、クラウニング付歯車の製造方法及び装置を提供することである。
【課題を解決するための手段】
【００１１】
本発明の解決手段を例示すると、次のとおりである。
【００１２】
（１）冷間鍛造によってクラウニングが形成された歯車において、歯先が軸方向両端間で円筒形状の面に沿って形成されており、ピッチ円が軸方向両端間で円弧形状の曲面に沿って形成されており、歯底が軸方向両端間で円弧形状の曲面に沿って形成されていることを特徴とするクラウニング付歯車。
【００１３】
（２）前述のクラウニング付歯車を製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を、ピッチ円が軸方向に円弧形状の曲面に沿うように弾性変形させ、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【００１４】
（３）被加工品の下側部分及び上側部分にクラウニング付歯形を成形するときに、被加工品の歯形の歯先と型の歯形の歯底との間に、軸方向両端間の全長にわたって、隙間が維持されることを特徴とする前述のクラウニング付歯車の製造方法。
【００１５】
（４）被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、
次に、型の上側係合面に外側パンチの内側テーパを押圧して型の上側部分を内向きに弾性変形させて、被加工品の上側部分にクラウニング付歯形を形成することを特徴とする前述のクラウニング付歯車の製造方法。
【００１６】
（５）被加工品の上側部分と下側部分に同一のクラウニング量を付けることを特徴とする前述のクラウニング付歯車の製造方法。
【００１７】
（６）被加工品の上側部分と下側部分に互いに異なるクラウニング量を付けることを特徴とする前述のクラウニング付歯車の製造方法。
【００１８】
（７）被加工品の中心に貫通穴が形成されていて、その貫通穴にセンターピンを入れた状態のまま、被加工品の上側部分と下側部分にクラウニングを付けることを特徴とする前述のクラウニング付歯車の製造方法。
【００１９】
（８）被加工品の中心に貫通穴が形成されておらず、センターピンを使用せずに、型に入れたまま、被加工品の上側部分と下側部分にクラウニングを付けることを特徴とする前述のクラウニング付歯車の製造方法。
【００２０】
（９）前述のクラウニング付歯車を製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【００２１】
（１０）型の下端に位置決め座金を設けて、テーパ穴付リングに対する型の位置を決めることによりクラウニング量を調整することを特徴とする前述のクラウニング付歯車の製造装置。
【００２２】
（１１）クラウニング量を調整するために、テーパ穴付リングの上に外側パンチ停止位置調整手段が設けられていることを特徴とする前述のクラウニング付歯車の製造装置。
【００２３】
（１２）被加工品の中心に貫通穴が形成されており、その貫通穴にセンターピンを入れた状態のまま、外側パンチ、パンチスリーブ及びノックアウトスリーブを用いて、被加工品の上側部分と下側部分にクラウニングを形成することを特徴とする前述のクラウニング付歯車の製造装置。
【００２４】
（１３）被加工品の中心に貫通穴が形成されておらず、センターピンを使用せずに、外側パンチ、パンチピン及びノックアウトピンを用いて、被加工品の上側部分と下側部分にクラウニングを形成することを特徴とする前述のクラウニング付歯車の製造装置。
【００２５】
（１４）被加工品の下側部分及び上側部分にクラウニング付歯形を成形するときに、被加工品の歯形の歯先と型の歯形の歯底との間に、軸方向両端間の全長にわたって、隙間が維持されることを特徴とする前述のクラウニング付歯車の製造装置。
【００２６】
（１５）被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、続いて、型の上側係合面に外側パンチの内側テーパを押圧して型の上側部分を内向きに弾性変形させて、被加工品の上側部分にクラウニング付歯形を形成することを特徴とする前述のクラウニング付歯車の製造装置。
【００２７】
（１６）前述のクラウニング付歯車を製造するための金型であって、クラウニング付歯車の歯底の円弧形状に相当する円弧形状が金型の外側に形成されており、金型の内側に円筒歯形が形成されており、金型が弾性変形する型材で作られていることを特徴とする金型。
【００２８】
（１７）弾性変形をしやすくするために、金型の厚みが、入口で小さく、最奥位置で大きくなっていることを特徴とする前述の金型。
【図面の簡単な説明】
【００２９】
【図１】本発明の第１実施例によるクラウニング付歯車を製造する一連の工程の１つを示す。
【図２】図１に続く工程を示す。
【図３】図２に続く工程を示す。
【図４】図３に続く工程を示す。
【図５】図１〜４の工程で使用する金型の一例を示す概略断面図。
【図６】図１〜４の工程で使用するテーパ穴付リングを示す概略断面図。
【図７】図５に示す金型と図６に示すテーパ穴付きリングとを組合せた状態を示す概略断面図。
【図８】本発明の第２実施例によるクラウニング付歯車を製造する一連の工程の１つを示す。
【図９】図８に続く工程を示す。
【図１０】図９に続く工程を示す。
【図１１】図１０に続く工程を示す。
【図１２】（Ａ）は、従来の歯面研磨法によるクラウニング付歯車の製造例を示し、（Ｂ）は、本発明によるクラウニング付歯車の製造例を示す。
【発明を実施するための形態】
【００３０】
本発明によるクラウニング付歯車は、冷間鍛造によってクラウニングが形成された歯車である。
【００３１】
本発明によるクラウニング付歯車においては、歯先が軸方向両端間で円筒形状の面に沿って形成されており、ピッチ円が軸方向両端間で円弧形状の曲面に沿って形成されており、歯底が軸方向両端間で円弧形状の曲面に沿って形成されている。歯車の一端側の第１部分と他端側の第２部分（鍛造加工時の状態で見れば上側部分と下側部分）に同一のクラウニング量を付けてもよいし、互いに異なるクラウニング量を付けてもよい。
【００３２】
本発明によるクラウニング付歯車を製造する方法及び装置においては、好ましくは、クラウニングなしの歯形を有する円筒歯車である被加工品を予め数多く準備しておく。そのような被加工品は、任意の製造方法で製造できる。例えば、被加工品は、冷間鍛造によって製造してもよいし、切削加工で製造してもよい。
【００３３】
内側に円筒歯形を有するとともに外側に下側係合面と上側係合面を有しかつ弾性変形しうる型（ダイスやコアともいう）と、テーパ穴付リングと、内側テーパを有する外側パンチとを巧みに組合わせる。テーパ穴付リングのテーパ穴に型の下側係合面を設定する。とくに、テーパ穴付リングのテーパと型の下側係合面とを係合させて、型の円筒歯形の下側部分の歯先を円弧状の面（仮想の面）に沿うように弾性変形させる。型の円筒歯形の上側部分は本来の円筒形状のままにしておく。
【００３４】
冷間鍛造のために、被加工品を型の中に挿入して、まず、被加工品の下側部分に型の弾性変形された下側部分でクラウニング付歯形を成形する。そのとき、被加工品の上側部分は、クラウニングなしの円筒形状のままとする。
【００３５】
その後、外側パンチを下降させて、型の上側係合面に外側パンチの内側テーパを係合させる。そのとき、外側パンチによって型の上側部分が押圧されて内向きに弾性変形される。そのように弾性変形された型の上側部分によって、被加工品の上側部分が押圧され、そこにクラウニング付歯形が冷間鍛造の形で成形される。
【００３６】
次に、外側パンチが上昇して、外側パンチが型と係合しなくなったとき、弾性変形されていた型の上側部分の形状は元の状態に復帰する。
【００３７】
被加工品の下側部分及び上側部分にクラウニング付歯形を成形するときに、被加工品の歯形の歯先と型の歯形の歯底との間に、軸方向両端間の全長にわたって、隙間が維持される。好ましくは、被加工品の下側部分及び上側部分にクラウニング付歯形を成形する冷間鍛造の途中、被加工品の歯形の歯先と型の歯形の歯底とが全く接触しないようにする。
【００３８】
クラウニング付歯車を製造する装置の好適な例においては、被加工品の上方にパンチ（形状はスリーブ又はピン）を設け、被加工品の下方にノックアウト（形状はスリーブ又はピン）を設け、さらに、内側に円筒歯形を有するとともに外側に上側係合面及び下側係合面を有しかつ弾性変形しうる型と、内側テーパを有する外側パンチと、型を内側に設定するためのテーパ穴付リングとが設けられている。
【００３９】
型の下側係合面がテーパ穴付リングのテーパの所定位置に設定された状態において、型の下側部分がテーパ穴付リングによって内向きに押圧されて、型の円筒歯形の下側部分は、ピッチ円が仮想の円弧状の面に沿うように内向きに弾性変形されている。このとき、型の円筒歯形の上側部分は、本来の円筒形状に維持されている。
【００４０】
そのような状態において、円筒歯形である被加工品が型の最奥位置まで挿入されて、被加工品の下側部分にクラウニング付歯形が冷間鍛造で成形される。このとき、被加工品の上側部分の歯形は本来の円筒形状に維持されている。
【００４１】
外側パンチは、型の上側係合面に係合して型の上側部分を内向きに変形させるための内側テーパを有する。
【００４２】
外側パンチが下降すると、型の上側係合面が外側パンチの内側テーパによって内向きに押圧されて、型の上側部分が内向きに弾性変形される。その結果、被加工品の上側部分にクラウニング付歯形が冷間鍛造で成形される。
【００４３】
好ましくは、クラウニング量の調整のために、例えば、被加工品の上側部分と下側部分に同一のクラウニング量を付けたり、互いに異なるクラウニング量を付けたりするために、座金を使用する。とくに、型の下端に位置決め用の座金を設けて、テーパ穴付リングに対する型の位置を適当に決めることにより、被加工品の下側部分のクラウニング量を調整する。このような型の位置決め用の座金と組み合わせて、テーパ穴付リングの上面に外側パンチ停止位置調整手段（最適には締付リングと座金で構成する）を設けて、外側パンチの下降時の停止位置を調節して、被加工品の上側部分のクラウニング量を調整する。
【００４４】
これらの座金の高さは、単数の座金を入れかえて（互いに高さの異なる複数の座金から最適の１つを選ぶことによって）調整してもよいし、複数の座金の組合わせを変更して調整してもよい。
【００４５】
被加工品の中心に貫通穴が形成されている場合は、その貫通穴にセンターピンを入れた状態のまま、外側パンチ、パンチスリーブ、ノックアウトスリーブ等を用いて、被加工品の上側部分と下側部分にクラウニングを付ける。
【００４６】
被加工品の中心に貫通穴が形成されていない場合は、センターピンを使用せずに、外側パンチ、パンチピン、ノックアウトピン等を用いて、被加工品の上側部分と下側部分にクラウニングを付ける。
【００４７】
被加工品が貫通穴を有する場合も、被加工品が貫通穴を有さない場合も、被加工品の下側部分にクラウニングを形成するとき、好ましくは、「突き出し」加工をする。
【００４８】
「突き出し」加工と、「絞り」加工および「張り出し」加工とは、被加工品の、冷間鍛造による形状の変化と加工圧のかかり方が、基本的に相違している。
【００４９】
絞り加工は、被加工品の横断面を全体的に絞る鍛造加工（つまり被加工品の横断面を全体的に減少させる鍛造加工）であるので、その分、軸心方向の寸法（長さ）がわずかに増加する。
【００５０】
これとは逆に、張り出し加工は、被加工品の横断面を全体的に張り出す加工である。張り出し加工の場合は、歯先部に欠肉が生じないように、被加工品の材料を型の歯形内に充満させるので、その分、軸心方向の寸法（長さ）がわずかに減少する。
【００５１】
また、絞り加工では、全周にわたって、被加工品の横断面の全体を減少させるので、型の入り口部分に加工圧が集中する。そのため、歯形表面に軸心方向に沿って筋が付きやすい欠点がある。
【００５２】
これとは逆に、張り出し加工では、被加工品の歯形が全体的に型の歯形よりも小さいため、被加工品は、型の入口から奥まで型の中にスムーズに入る。加工圧が集中するのは、型の最も奥の位置である。その型の最奥位置で、被加工品の両端面が互いにパンチ等で軸心方向に押圧された瞬間に、加工圧は急激に増大する。
【００５３】
「絞り」加工および「張り出し」加工のいずれの場合も、加工の際に、被加工品の歯形の歯先は、型の歯形に密に接触する。もし仮に張り出し加工のときに被加工品の歯形の歯先を型の歯形に密に接触させないとすると、被加工品の歯先部分に欠肉が生じてしまう。このような被加工品は不良品である。また、絞り加工のときに被加工品の歯形の歯先を型の歯形に密に接触させないことは実際上ありえず、それでは「絞り」の作用が生じない。
【００５４】
これに対し、「突き出し」加工は、被加工品を型の入口から中に入れて軸心方向に最奥位置まで移動させていく間に、被加工品の一方の端面のみを押圧して、被加工品の歯底全体を含めてピッチ円を越えるところまで非常に広い範囲にわたって型の歯形に接触させて被加工品の歯形を型の歯形によって圧縮すると同時に、被加工品の歯先を半径の外向き方向に突き出す。そのとき、被加工品の歯先と型の歯形との間に隙間が存在するようにする。
【００５５】
このような突き出し加工で重要なことは、被加工品を型の入口から中に入れて軸心方向に最奥位置まで移動させていく間に、つねに被加工品の歯底全体を含めてピッチ円を越えるところまで型の歯形が接触して被加工品の広い範囲を圧縮し、しかも、そのとき、被加工品の歯先と型の歯形との間に、小さな空間を存在させることである。
【００５６】
以上説明したように、被加工品の下側部分に型の弾性変形された下側部分でクラウニング付歯形を成形する工程で採用する「突き出し」加工においては、被加工品が型の中に入って最奥位置まで移動する間に、被加工品の歯形の歯底全体を含めてピッチ円を越えるところまで非常に広い範囲にわたって型の歯形が接触し、かつ、被加工品の歯先と型の歯形との間に、常に隙間が存在するので、非常に精密な冷間鍛造ができるのである。
【００５７】
このような「突き出し」加工に続けて、同じ型の中で、外側パンチによって型の上側部分が押圧されて内向きに弾性変形される。そして、弾性変形された型の上側部分によって、被加工品の上側部分が押圧され、そこにクラウニング付歯形が冷間鍛造の形で成形される。このときも、被加工品の歯先と型の歯形との間に、常に隙間が存在するので、非常に精密な冷間鍛造ができるのである。
【００５８】
以下、図面を参照して、本発明の好適な実施形態を説明する。
【００５９】
図１２において、上側の（Ａ）は、歯面研磨法によって円筒歯車１００を研磨してクラウニング付歯車２００に製造する従来例を示している。この場合、円筒歯車１００は、ピッチ円１０１、歯底１０２および歯先１０３が、すべて軸方向両端間で円筒形状に沿って形成されているのに対し、クラウニング付歯車２００は、ピッチ円２０１が軸方向両端間で円弧形状に沿って形成されている。
【００６０】
下側の（Ｂ）は、本発明により、円筒歯車１００からクラウニング付歯車３００を製造する一例を示している。
【００６１】
（Ｂ）の円筒歯車１００は、（Ａ）と同じものであるが、（Ｂ）のクラウニング付歯車３００は、（Ａ）のクラウニング付歯車２００とは基本構成が本質的に相違している。
【００６２】
従来例のクラウニング付歯車２００を示す（Ａ）においては、ピッチ円２０１のみが軸方向両端間で仮想の円弧形状に沿って形成されており、歯底２０２と歯先２０３は仮想の円筒形状に沿って形成されている。
【００６３】
これに対し、本発明のクラウニング付歯車３００を示す（Ｂ）においては、歯先３０３のみが軸方向両端間で仮想の円筒形状に沿って形成されており、ピッチ円３０１が軸方向両端間で仮想の円弧形状の曲面に沿って形成されており、歯底３０２が軸方向両端間で仮想の円弧形状の曲面に沿って形成されている。
【００６４】
なお、図１２には示されていないが、クラウニング付歯車３００の両端の一方又は両方に種々の表面形状の部分を付加することも可能である。
【実施例１】
【００６５】
図１〜７を参照して、中心に貫通穴のあるクラウニング付歯車を製造する一連の工程を説明する。
【００６６】
図１に符号１０で示されているのは、クラウニングなしの歯形を有する円筒歯車である被加工品である。このような被加工品１０を予め数多く準備しておく。
【００６７】
被加工品１０は、中心に貫通穴１０ｃが形成されていて、図２に示すように、その貫通穴１０ｃにセンターピン２６を入れた状態のまま、被加工品１０の上側部分１０ｂと下側部分１０ａにクラウニングを付ける。
【００６８】
内側に円筒歯形１２ａを有するとともに外側に上側係合面１２ｂ及び下側係合面１２ｃを有しかつ弾性変形し得る型１２（図５を参照して後述する）と、型１２の下側係合面１２ｃを設定するためのテーパ穴１４ａを有するリング１４とが設けられる。
【００６９】
図１に示すように型１２の下側係合面１２ｃがリング１４のテーパ穴１４ａに設定された状態において、型１２の下側部分がそのテーパ穴付リング１４によって内向きに押圧されて、型１２の円筒歯形の下側部分１２ｃの歯先が円弧状の面（仮想の面）に沿って弾性変形される。そのとき、型１２の円筒歯形の上側部分は本来の円筒形状に維持されている。
【００７０】
図１に示すように、図示しない設定手段によって、円筒歯車である被加工品１０が型１２の入口１２ｄのところに設定される。
【００７１】
その後、パンチスリーブ１６が図１の位置から下降して、図２の位置に到来する間に、被加工品１０は、型１２によって「突き出し」加工される。すなわち、被加工品１０が型１２の入口１２ｄから中に入り軸心方向にセンターピン２６によってガイドされながら図２に示す最奥位置まで移動していく間に、被加工品１０の上端面のみをパンチスリーブ１６の下端で押圧して、とくに、被加工品１０の下側部分が金型１２の下側部分を通過していくとき、被加工品１０の歯底全体を含めてピッチ円を越えるところまで非常に広い範囲にわたって型１２の歯形に接触させて被加工品１０の歯形を型１２の歯形によって圧縮すると同時に、被加工品１０の歯先を半径の外向き方向に突き出す。そのとき、被加工品１０の歯先と型１２の歯形との間に隙間が存在する。このような「突き出し」加工によって、被加工品１０の下側部分１０ａにクラウニング付歯形が成形される。このとき、図２に示すように、被加工品１０の円筒歯形の上側部分１０ｂは円筒形状を維持している。
【００７２】
外側パンチ１８は、パンチスリーブ１６と同一軸芯上に配置されていて、下降位置で金型１２の上側係合面１２ｂと係合する内側テーパ１８ａを有する。
【００７３】
冷間鍛造のとき、外側パンチ１８は、パンチスリーブ１６よりもタイミング的に少し遅れて下降する。すると、図３に示すように、型１２の上側係合面１２ｂが外側パンチ１８の内側テーパ１８ａによって押圧されて、型１２の上側部分１２ｆが内向きに弾性変形され、被加工品１０の上側部分１０ｂにクラウニング付歯形が成形される。
【００７４】
型１２の下端に位置決め座金２０を設けて、テーパ穴付リング１４に対する型１２の位置を最適位置に決めることにより、クラウニング量を最適値に調整する。例えば、種々の高さの座金２０を予め準備しておいて、適当な高さの座金２０を選んで使用する。
【００７５】
また、この座金２０と組み合わせて、テーパ穴付リング１４に対する外側パンチ１８の停止位置を調整するために、調整手段２２が設けられている。この外側パンチ１８の停止位置を調整する調整手段２２は、締付リング２４と外側パンチ停止位置調整座金２５で構成するのが好ましい。
【００７６】
テーパ穴付きリング１４は、バックプレート３０の上面に同一軸芯上にセットされている。ダイケース３２がそれらのバックプレート３０とテーパ穴付リング１４を取り囲む形で固定している。締付リング２４は、ダイケース３２の上端にボルト３１によって固定されて、座金２５を締めつけている。
【００７７】
図４に示されているクラウニング付歯車３００（詳細は図１２を参照）は、被加工品１０の下側部分１０ａと上側部分１０ｂの両方に図３に示されているようにクラウニングが形成されたあと、ノックアウトスリーブ４０の上端によってクラウニング付歯車３００の下端が押し上げられ、歯車３００全体が金型１２の外側に出る。このあと、さらに設定手段（図示せず）によって歯車３００は所定位置に移送される。
【００７８】
図５は、前述の実施例１に使用する金型１２の具体例を示している。
【００７９】
図５に示すように、金型１２は、テーパ穴付リング１４に設定する前の状態において、クラウニング付歯車３００（図１２）の歯底の円弧形状に相当する円弧形状が金型１２の外側の所定の領域Ｂに形成されており、金型１２の内側には円筒歯形１２ａが形成されている。金型１２は、弾性変形する型材で作られている。
【００８０】
好ましくは、被加工品１０の歯幅に相当する領域Ｂにおいて金型１２の環状外表面が縦断面でみて前述のような円弧形状になっており、その領域Ｂの上側半分（Ｂ／２）に上側係合面１２ｂが形成されており、下側半分（Ｂ／２）に下側係合面１２ｃが形成されている。クラウニング付歯車３００（図１２）が形成できるのであれば、上側係合面１２ｂと下側係合面１２ｃとが１つの大きな円弧形状に構成されていてもよいし、２つ以上の円弧形状の組合せやその他の構成であってもよい。
【００８１】
上側係合面１２ｂと下側係合面１２ｃは、図５に示すように、仮想の円錐面７０（円筒面ではない）を基準にして、テーパに沿って断面凹形の円弧形状の表面にするのが好ましい。そして、弾性変形をしやすくするために、金型１２の厚みが、入口で小さく、最奥位置で大きくなっている。例えば、金型１２の下端部の厚みを円筒歯形１２ａの歯高の１〜２倍にし、かつ、金型１２の領域Ｂの上端部の厚みを円筒歯形１２ａの歯高とほぼ同一かそれよりも少し大きくして（例えば１〜１．５倍にして）、弾性変形を良好にするのが好ましい。さらに、金型１２の入口１２ｄにピッチ円（Ｐ）よりも径の大きいガイド部１２ｈを設けるのが好ましい。符号７５は、金型１２の下端部の想定上の最小縮径位置を示す。
【００８２】
図５に示す金型１２を、図６に拡大して示すテーパ穴付リング１４のテーパ穴１４ａに設定すると、図７に示すような状態になる。このとき、金型１２の下側部分１２ｇにクラウニングが付く。
【実施例２】
【００８３】
図８〜１１を参照して、貫通穴のないクラウニング付歯形を製造する一連の工程を説明する。
【００８４】
同一の参照符号は、図１〜１２において実質的に同一の部材や部分を示す。
【００８５】
図８〜１１の実施例においては、被加工品１１０が貫通穴を有していない。それゆえ、センターピンを用いない。
【００８６】
内側に円筒歯形を有するとともに外側に下側係合面１２ｃと上側係合面１２ｂを有しかつ弾性変形し得る型１２（ダイスやコアともいう）と、テーパ穴付リング１４と、内側テーパ穴１８ａを有する外側パンチ１８とを巧みに組合わせる。
【００８７】
テーパ穴付リング１４のテーパ穴１８ａに型１２の下側係合面１２ｃを設定する。とくに、リング１４のテーパ穴１４ａと型１２の下側係合面１２ｃとを係合させて、型１２の円筒歯形の下側部分を円弧状に弾性変形させる。そのとき、型１２の円筒歯形の上側部分は本来の円筒形状のままにしておく。
【００８８】
冷間鍛造のために、被加工品１１０を型１２の中に挿入する。まず、被加工品１１０の下側部分に型１２の弾性変形された下側部分でクラウニング付歯形を成形する。そのとき、被加工品１１０の上側部分は、クラウニングなしの円筒形状のままとする。
【００８９】
その後、外側パンチ１８を下降させて、型１２の上側係合面１２ｂに外側パンチ１８の内側テーパ１８ａを係合させる。そのとき、外側パンチ１８によって型１２の上側部分が押圧されて内向きに弾性変形される。そのように弾性変形された型１２の上側部分によって、被加工品１１０の上側部分が押圧され、そこにクラウニング付歯形が冷間鍛造の形で成形される。
【００９０】
次に、外側パンチ１８が上昇して、外側パンチ１８が型１２と係合しなくなったとき、弾性変形されていた型１２の上側部分の形状は元の状態に復帰する。
【００９１】
被加工品１１０の下側部分及び上側部分にクラウニング付歯形を成形するとき、「突き出し」加工を採用する。被加工品１１０の歯形の歯先と型の歯形の歯底との間に、軸方向両端間の全長にわたって、隙間を維持する。冷間鍛造の途中、被加工品の歯形の歯先と型の歯形の歯底とが全く接触しないようにする。
【００９２】
クラウニング付歯車を製造する装置においては、被加工品１１０の上方にパンチピン１１６を設け、被加工品１１０の下方にノックアウトピン１４０を設け、さらに、内側に円筒歯形を有するとともに外側に上側係合面１２ｂ及び下側係合面１２ｃを有しかつ弾性変形する型１２と、型１２の外側に配置する、内側テーパ１８ａを有する外側パンチ１８と、型１２を内側に設定するためのテーパ穴付リング１４とを設ける。
【００９３】
型１２の下側係合面１２ｃがリング１４のテーパ穴１４ａの所定位置に設定された状態において、型１２の下側部分がテーパ穴付リング１４に内向きに押圧されて、型１２の円筒歯形の下側部分が円弧状に内向きに弾性変形されている。このとき、型１２の円筒歯形の上側部分は、本来の円筒形状に維持されている。
【００９４】
そのような状態において、円筒歯車である被加工品１１０が型１２の最奥位置まで挿入されて、被加工品１１０の下側部分にクラウニング付歯形が冷間鍛造で成形される。このとき、被加工品１１０の上側部分の歯形は円筒形状に維持されている。
【００９５】
外側パンチ１８は、型１２の上側係合面１２ｂに係合して型１２の上側部分を内向きに変形させるための内側テーパ１８ａを有する。
【００９６】
外側パンチ１８が下降すると、型１２の上側係合面１２ｂが外側パンチ１８の内側テーパ１８ａによって押圧されて、型１２の上側部分が内向きに弾性変形され、被加工品１１０の上側部分にクラウニング付歯形が冷間鍛造で成形される。
【００９７】
被加工品１１０の上側部分と下側部分に同一のクラウニング量を付けたり互いに異なるクラウニング量を付けたりするために、座金２０、２５を使用する。例えば、型１２の下端に位置決め用の座金２０を設けて、テーパ穴付リング１４に対する型の位置を適当に決めることにより、被加工品１１０の下側部分のクラウニング量を調整する。このような型１２の位置決め用の座金２０と組み合わせて、テーパ穴付リング１４の上面に外側パンチ１８を所望位置に停止させるための位置調整手段２２（最適には締付リング２４と座金２５で構成する）を設けて、外側パンチ１８の停止位置を調節して、被加工品１１０の上側部分のクラウニングを調整する。
【００９８】
これらの座金２０、２５の高さは、単数の座金を入れかえて調整してもよいし、複数の座金の組合わせを変更して調整してもよい。
【００９９】
このように、被加工品１０、１１０が貫通穴を有するか否かにかかわらず、被加工品１０、１１０の下側部分にクラウニングを形成するとき、「突き出し」加工をするのが好ましい。
【０１００】
前述の実施例１及び２は、次のような効果を奏する。
【０１０１】
図１２の（Ａ）に示す従来の歯面研磨法は、周知のとおり、円盤状の砥石を使用するため、歯車の形状によっては、砥石が被加工品に干渉する。そのため、ねじれ角の大きいヘリカル歯車や、フランジ付歯車は、加工不能である。
【０１０２】
シェービン加工の場合も、ホブが円筒であるため、同様の不都合が生じる。
【０１０３】
本発明によれば、このような不都合が生じない。
【０１０４】
本発明に用いる金型は、製作が容易である。例えば、金型の内側の円筒歯形はワイヤカット方式で放電加工すれば、正確な円筒歯形を簡単に形成できる。金型の外側の上側係合面、下側係合面その他は、周知の方法で機械加工をすることができる。
【０１０５】
また、油圧プレスを使用して機械を作動して、クラウニングの塑性成形をすると、成形圧力を一定に制御しやすく、精度にバラツキが少なくなり、しかも、金型の寿命が長くなる。
【０１０６】
なお、図１〜１２には、見やすくするために、クラウニング量が誇大に示されているが、例えば、クラウニング量は、数ミクロン〜十数ミクロンとし、千分の一ミリ単位で設計されることが多い。
【０１０７】
また、前述のクラウニング付歯車の製造方法及び装置によれば、型の位置決め座金や、外側パンチ停止位置調整座金を入れ替えることにより容易にかつ正確に歯車の上側部分と下側部分についてクラウニングの大きさを別々に調節することができる。
【０１０８】
外側パンチ停止位置調整座金は、型に掛かる過大荷重を防ぐと共に、外側パンチの下降位置を正確に位置決めして、型の圧縮変形量（クラウニング量）を所望の値にしやすい。
【０１０９】
さらに、型の端面に外側パンチが当接しないため、必要最低限の荷重でクラウニング成形を行なえる。
【０１１０】
また、パンチスリーブとノックアウトスリーブの加圧機構に油圧シリンダーを用いて、圧力一定とすれば、被加工品に加わる荷重を一定にしやすい。
【０１１１】
加工ロット毎の変化に対しては油圧の圧力を調節して、クラウニング量の変化を小さくできる。これにより高精度でバラツキの小さいクラウニング成形の量産が可能になる。
【０１１２】
変形率が０．０２５〜０．０５％の圧縮変形と想定すれば、型の縮径（変形）に対する耐久性は、通常の型鋼を使用すれば充分である。
【図１】
2011016162.tif 000003
【図２】
2011016162.tif 000004
【図３】
2011016162.tif 000005
【図４】
2011016162.tif 000006
【図５】
2011016162.tif 000007
【図６】
2011016162.tif 000008
【図７】
2011016162.tif 000009
【図８】
2011016162.tif 000010
【図９】
2011016162.tif 000011
【図１０】
2011016162.tif 000012
【図１１】
2011016162.tif 000013
【図１２】
2011016162.tif 000014
【手続補正書】
【提出日】平成21年10月13日(2009.10.13)
【手続補正１】
【補正対象書類名】明細書
【補正対象項目名】全文
【補正方法】変更
【補正の内容】
【発明の詳細な説明】
【技術分野】
【０００１】
本発明は、クラウニング付歯車の製造方法及び装置に関する。クラウニング付歯車は、歯車の歯すじの方向に適当なふくらみをつけて、歯厚が軸方向中心部から軸方向両端部に向って薄くなる歯車である。
【背景技術】
【０００２】
鍛造加工によるクラウニング付歯車の製造方法は、特開２００７−１６７８６２（特許文献１）、特開２００３−２４５７４６（特許文献２）、特開２００３−２２０４４２（特許文献３）等に開示されている。
【０００３】
特許文献１においては、クラウニングのない内歯歯車状の歯形を内周面に有するコアが、リングの内壁面の中に、リングの軸心方向に圧入され、そのとき、コアの外周面が変形し、それに伴ってコアの内周面の歯形にクラウニングが付けられる片側クラウニング法や、クラウニングのない内歯歯車状の歯形を内周面に有するコアが、その外周面に、クラウニングをつけるための締め代用の増量部を有し、そのようなコアが、リングのテーパ状内壁面の中に、リングの軸心方向に圧入され、増量部が変形してテーパ状となり、それに伴ってコアの内周面の歯形にクラウニングが付けられる片側クラウニング法が記載されている。
【０００４】
特許文献２に記載されているクラウンギヤの冷間鍛造装置においては、内周面又は外周面の一方の面に歯厚が全長に亘って略等厚となる成型歯を形成し、他方の面をテーパー面に形成してなる環状のダイスを、そのテーパー面を介してダイスガイドにテーパー嵌合させ、少なくとも一方のテーパー面の軸方向両端部に半径方向に膨出する環状の膨出部を設け、外周又は内周に粗歯が形成された中間製品をダイスに嵌合させるとともにその粗歯をダイスの成型歯に噛合させ、ダイスとダイスガイドとのうちの少なくとも一方を他方に対してダイスが半径方向に弾性変形する軸方向に相対移動させるダイスパンチを設ける。
【０００５】
特許文献３においては、歯厚が一定の外歯歯車である粗材の歯をクラウニング付歯形に成形するクラウニング付歯形の鍛造成形方法が示されている。上パンチの押圧により粗材の歯を下端から第１空間に挿入して歯の下端から中央部までクラウニングを成形し、第１空間と上ダイの第２空間が滑らかに繋がるように下ダイと上ダイを密着させた後、下ダイ内に保持された粗材を下パンチの押圧により上端から第２空間に挿入して歯の上端から中央部にクラウニングを成形する。
【先行技術文献】
【特許文献】
【０００６】
【特許文献１】特開２００７−１６７８６２
【特許文献２】特開２００３−２４５７４６
【特許文献３】特開２００３−２２０４４２
【発明の概要】
【発明が解決しようとする課題】
【０００７】
特許文献１に記載の片側クラウニング成形方法によって両端にクラウニングを付ける場合は、歯車を１つの型の中に入れたまま、歯車の上半分と下半分にクラウニングを付けることができず、一回目に片側を成形し、反対側は歯車を型から出して反転してから、二回目の成形をしなければならない。二回目の成形荷重により一回目に成形したクラウニングの精度を悪化させてしまう恐れがある。
【０００８】
特許文献２に記載の発明によれば、大量生産時にクラウニング量を上下個別に調節することが容易にできない。ダイスガイドのテーパー穴に膨出部を設けるので、膨出部を形成することが容易ではない。調整作業が困難であり、効率が悪いだけでなく、安定した品質が確保しがたい。
【０００９】
特許文献３の発明においては、互いに密着させる上ダイと下ダイとを使用して、粗材の歯を下ダイの第１空間と上ダイの第２空間で別々にクラウニングを成形する。効率が悪いだけでなく、安定した品質が確保しがたい。
【００１０】
本発明の目的は、正確な形状のクラウニングを効率よく形成することができ、安定して高い品質を確保しやすい、クラウニング付歯車の製造方法及び装置を提供することである。
【課題を解決するための手段】
【００１１】
本発明の解決手段を例示すると、次のとおりである。
【００１２】
（１）歯先が軸方向両端間で円筒形状の面に沿って形成されており、ピッチ円が軸方向両端間で円弧形状の曲面に沿って形成されており、歯底が軸方向両端間で円弧形状の曲面に沿って形成されているクラウニング付歯車を冷間鍛造によって製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を、ピッチ円が軸方向に円弧形状の曲面に沿うように弾性変形させ、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【００１３】
（２）被加工品の下側部分及び上側部分にクラウニング付歯形を成形するときに、被加工品の歯形の歯先と型の歯形の歯底との間に、軸方向両端間の全長にわたって、隙間が維持されることを特徴とする前述のクラウニング付歯車の製造方法。
【００１４】
（３）被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、
次に、型の上側係合面に外側パンチの内側テーパを押圧して型の上側部分を内向きに弾性変形させて、被加工品の上側部分にクラウニング付歯形を形成することを特徴とする前述のクラウニング付歯車の製造方法。
【００１５】
（４）被加工品の上側部分と下側部分に同一のクラウニング量を付けることを特徴とする前述のクラウニング付歯車の製造方法。
【００１６】
（５）被加工品の上側部分と下側部分に互いに異なるクラウニング量を付けることを特徴とする前述のクラウニング付歯車の製造方法。
【００１７】
（６）被加工品の中心に貫通穴が形成されていて、その貫通穴にセンターピンを入れた状態のまま、被加工品の上側部分と下側部分にクラウニングを付けることを特徴とする前述のクラウニング付歯車の製造方法。
【００１８】
（７）被加工品の中心に貫通穴が形成されておらず、センターピンを使用せずに、型に入れたまま、被加工品の上側部分と下側部分にクラウニングを付けることを特徴とする前述のクラウニング付歯車の製造方法。
【００１９】
（８）歯先が軸方向両端間で円筒形状の面に沿って形成されており、ピッチ円が軸方向両端間で円弧形状の曲面に沿って形成されており、歯底が軸方向両端間で円弧形状の曲面に沿って形成されているクラウニング付歯車を冷間鍛造によって製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【００２０】
（９）型の下端に位置決め座金を設けて、テーパ穴付リングに対する型の位置を決めることによりクラウニング量を調整することを特徴とする前述のクラウニング付歯車の製造装置。
【００２１】
（１０）クラウニング量を調整するために、テーパ穴付リングの上に外側パンチ停止位置調整手段が設けられていることを特徴とする前述のクラウニング付歯車の製造装置。
【００２２】
（１１）被加工品の中心に貫通穴が形成されており、その貫通穴にセンターピンを入れた状態のまま、外側パンチ、パンチスリーブ及びノックアウトスリーブを用いて、被加工品の上側部分と下側部分にクラウニングを形成することを特徴とする前述のクラウニング付歯車の製造装置。
【００２３】
（１２）被加工品の中心に貫通穴が形成されておらず、センターピンを使用せずに、外側パンチ、パンチピン及びノックアウトピンを用いて、被加工品の上側部分と下側部分にクラウニングを形成することを特徴とする前述のクラウニング付歯車の製造装置。
【００２４】
（１３）被加工品の下側部分及び上側部分にクラウニング付歯形を成形するときに、被加工品の歯形の歯先と型の歯形の歯底との間に、軸方向両端間の全長にわたって、隙間が維持されることを特徴とする前述のクラウニング付歯車の製造装置。
【００２５】
（１４）被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、続いて、型の上側係合面に外側パンチの内側テーパを押圧して型の上側部分を内向きに弾性変形させて、被加工品の上側部分にクラウニング付歯形を形成することを特徴とする前述のクラウニング付歯車の製造装置。
【図面の簡単な説明】
【００２６】
【図１】本発明の第１実施例によるクラウニング付歯車を製造する一連の工程の１つを示す。
【図２】図１に続く工程を示す。
【図３】図２に続く工程を示す。
【図４】図３に続く工程を示す。
【図５】図１〜４の工程で使用する金型の一例を示す概略断面図。
【図６】図１〜４の工程で使用するテーパ穴付リングを示す概略断面図。
【図７】図５に示す金型と図６に示すテーパ穴付きリングとを組合せた状態を示す概略断面図。
【図８】本発明の第２実施例によるクラウニング付歯車を製造する一連の工程の１つを示す。
【図９】図８に続く工程を示す。
【図１０】図９に続く工程を示す。
【図１１】図１０に続く工程を示す。
【図１２】（Ａ）は、従来の歯面研磨法によるクラウニング付歯車の製造例を示し、（Ｂ）は、本発明によるクラウニング付歯車の製造例を示す。
【発明を実施するための形態】
【００２７】
本発明によるクラウニング付歯車は、冷間鍛造によってクラウニングが形成された歯車である。
【００２８】
本発明によるクラウニング付歯車においては、歯先が軸方向両端間で円筒形状の面に沿って形成されており、ピッチ円が軸方向両端間で円弧形状の曲面に沿って形成されており、歯底が軸方向両端間で円弧形状の曲面に沿って形成されている。歯車の一端側の第１部分と他端側の第２部分（鍛造加工時の状態で見れば上側部分と下側部分）に同一のクラウニング量を付けてもよいし、互いに異なるクラウニング量を付けてもよい。
【００２９】
本発明によるクラウニング付歯車を製造する方法及び装置においては、好ましくは、クラウニングなしの歯形を有する円筒歯車である被加工品を予め数多く準備しておく。そのような被加工品は、任意の製造方法で製造できる。例えば、被加工品は、冷間鍛造によって製造してもよいし、切削加工で製造してもよい。
【００３０】
内側に円筒歯形を有するとともに外側に下側係合面と上側係合面を有しかつ弾性変形しうる型（ダイスやコアともいう）と、テーパ穴付リングと、内側テーパを有する外側パンチとを巧みに組合わせる。テーパ穴付リングのテーパ穴に型の下側係合面を設定する。とくに、テーパ穴付リングのテーパと型の下側係合面とを係合させて、型の円筒歯形の下側部分の歯先を円弧状の面（仮想の面）に沿うように弾性変形させる。型の円筒歯形の上側部分は本来の円筒形状のままにしておく。
【００３１】
冷間鍛造のために、被加工品を型の中に挿入して、まず、被加工品の下側部分に型の弾性変形された下側部分でクラウニング付歯形を成形する。そのとき、被加工品の上側部分は、クラウニングなしの円筒形状のままとする。
【００３２】
その後、外側パンチを下降させて、型の上側係合面に外側パンチの内側テーパを係合させる。そのとき、外側パンチによって型の上側部分が押圧されて内向きに弾性変形される。そのように弾性変形された型の上側部分によって、被加工品の上側部分が押圧され、そこにクラウニング付歯形が冷間鍛造の形で成形される。
【００３３】
次に、外側パンチが上昇して、外側パンチが型と係合しなくなったとき、弾性変形されていた型の上側部分の形状は元の状態に復帰する。
【００３４】
被加工品の下側部分及び上側部分にクラウニング付歯形を成形するときに、被加工品の歯形の歯先と型の歯形の歯底との間に、軸方向両端間の全長にわたって、隙間が維持される。好ましくは、被加工品の下側部分及び上側部分にクラウニング付歯形を成形する冷間鍛造の途中、被加工品の歯形の歯先と型の歯形の歯底とが全く接触しないようにする。
【００３５】
クラウニング付歯車を製造する装置の好適な例においては、被加工品の上方にパンチ（形状はスリーブ又はピン）を設け、被加工品の下方にノックアウト（形状はスリーブ又はピン）を設け、さらに、内側に円筒歯形を有するとともに外側に上側係合面及び下側係合面を有しかつ弾性変形しうる型と、内側テーパを有する外側パンチと、型を内側に設定するためのテーパ穴付リングとが設けられている。
【００３６】
型の下側係合面がテーパ穴付リングのテーパの所定位置に設定された状態において、型の下側部分がテーパ穴付リングによって内向きに押圧されて、型の円筒歯形の下側部分は、ピッチ円が仮想の円弧状の面に沿うように内向きに弾性変形されている。このとき、型の円筒歯形の上側部分は、本来の円筒形状に維持されている。
【００３７】
そのような状態において、円筒歯形である被加工品が型の最奥位置まで挿入されて、被加工品の下側部分にクラウニング付歯形が冷間鍛造で成形される。このとき、被加工品の上側部分の歯形は本来の円筒形状に維持されている。
【００３８】
外側パンチは、型の上側係合面に係合して型の上側部分を内向きに変形させるための内側テーパを有する。
【００３９】
外側パンチが下降すると、型の上側係合面が外側パンチの内側テーパによって内向きに押圧されて、型の上側部分が内向きに弾性変形される。その結果、被加工品の上側部分にクラウニング付歯形が冷間鍛造で成形される。
【００４０】
好ましくは、クラウニング量の調整のために、例えば、被加工品の上側部分と下側部分に同一のクラウニング量を付けたり、互いに異なるクラウニング量を付けたりするために、座金を使用する。とくに、型の下端に位置決め用の座金を設けて、テーパ穴付リングに対する型の位置を適当に決めることにより、被加工品の下側部分のクラウニング量を調整する。このような型の位置決め用の座金と組み合わせて、テーパ穴付リングの上面に外側パンチ停止位置調整手段（最適には締付リングと座金で構成する）を設けて、外側パンチの下降時の停止位置を調節して、被加工品の上側部分のクラウニング量を調整する。
【００４１】
これらの座金の高さは、単数の座金を入れかえて（互いに高さの異なる複数の座金から最適の１つを選ぶことによって）調整してもよいし、複数の座金の組合わせを変更して調整してもよい。
【００４２】
被加工品の中心に貫通穴が形成されている場合は、その貫通穴にセンターピンを入れた状態のまま、外側パンチ、パンチスリーブ、ノックアウトスリーブ等を用いて、被加工品の上側部分と下側部分にクラウニングを付ける。
【００４３】
被加工品の中心に貫通穴が形成されていない場合は、センターピンを使用せずに、外側パンチ、パンチピン、ノックアウトピン等を用いて、被加工品の上側部分と下側部分にクラウニングを付ける。
【００４４】
被加工品が貫通穴を有する場合も、被加工品が貫通穴を有さない場合も、被加工品の下側部分にクラウニングを形成するとき、好ましくは、「突き出し」加工をする。
【００４５】
「突き出し」加工と、「絞り」加工および「張り出し」加工とは、被加工品の、冷間鍛造による形状の変化と加工圧のかかり方が、基本的に相違している。
【００４６】
絞り加工は、被加工品の横断面を全体的に絞る鍛造加工（つまり被加工品の横断面を全体的に減少させる鍛造加工）であるので、その分、軸心方向の寸法（長さ）がわずかに増加する。
【００４７】
これとは逆に、張り出し加工は、被加工品の横断面を全体的に張り出す加工である。張り出し加工の場合は、歯先部に欠肉が生じないように、被加工品の材料を型の歯形内に充満させるので、その分、軸心方向の寸法（長さ）がわずかに減少する。
【００４８】
また、絞り加工では、全周にわたって、被加工品の横断面の全体を減少させるので、型の入り口部分に加工圧が集中する。そのため、歯形表面に軸心方向に沿って筋が付きやすい欠点がある。
【００４９】
これとは逆に、張り出し加工では、被加工品の歯形が全体的に型の歯形よりも小さいため、被加工品は、型の入口から奥まで型の中にスムーズに入る。加工圧が集中するのは、型の最も奥の位置である。その型の最奥位置で、被加工品の両端面が互いにパンチ等で軸心方向に押圧された瞬間に、加工圧は急激に増大する。
【００５０】
「絞り」加工および「張り出し」加工のいずれの場合も、加工の際に、被加工品の歯形の歯先は、型の歯形に密に接触する。もし仮に張り出し加工のときに被加工品の歯形の歯先を型の歯形に密に接触させないとすると、被加工品の歯先部分に欠肉が生じてしまう。このような被加工品は不良品である。また、絞り加工のときに被加工品の歯形の歯先を型の歯形に密に接触させないことは実際上ありえず、それでは「絞り」の作用が生じない。
【００５１】
これに対し、「突き出し」加工は、被加工品を型の入口から中に入れて軸心方向に最奥位置まで移動させていく間に、被加工品の一方の端面のみを押圧して、被加工品の歯底全体を含めてピッチ円を越えるところまで非常に広い範囲にわたって型の歯形に接触させて被加工品の歯形を型の歯形によって圧縮すると同時に、被加工品の歯先を半径の外向き方向に突き出す。そのとき、被加工品の歯先と型の歯形との間に隙間が存在するようにする。
【００５２】
このような突き出し加工で重要なことは、被加工品を型の入口から中に入れて軸心方向に最奥位置まで移動させていく間に、つねに被加工品の歯底全体を含めてピッチ円を越えるところまで型の歯形が接触して被加工品の広い範囲を圧縮し、しかも、そのとき、被加工品の歯先と型の歯形との間に、小さな空間を存在させることである。
【００５３】
以上説明したように、被加工品の下側部分に型の弾性変形された下側部分でクラウニング付歯形を成形する工程で採用する「突き出し」加工においては、被加工品が型の中に入って最奥位置まで移動する間に、被加工品の歯形の歯底全体を含めてピッチ円を越えるところまで非常に広い範囲にわたって型の歯形が接触し、かつ、被加工品の歯先と型の歯形との間に、常に隙間が存在するので、非常に精密な冷間鍛造ができるのである。
【００５４】
このような「突き出し」加工に続けて、同じ型の中で、外側パンチによって型の上側部分が押圧されて内向きに弾性変形される。そして、弾性変形された型の上側部分によって、被加工品の上側部分が押圧され、そこにクラウニング付歯形が冷間鍛造の形で成形される。このときも、被加工品の歯先と型の歯形との間に、常に隙間が存在するので、非常に精密な冷間鍛造ができるのである。
【００５５】
以下、図面を参照して、本発明の好適な実施形態を説明する。
【００５６】
図１２において、上側の（Ａ）は、歯面研磨法によって円筒歯車１００を研磨してクラウニング付歯車２００に製造する従来例を示している。この場合、円筒歯車１００は、ピッチ円１０１、歯底１０２および歯先１０３が、すべて軸方向両端間で円筒形状に沿って形成されているのに対し、クラウニング付歯車２００は、ピッチ円２０１が軸方向両端間で円弧形状に沿って形成されている。
【００５７】
下側の（Ｂ）は、本発明により、円筒歯車１００からクラウニング付歯車３００を製造する一例を示している。
【００５８】
（Ｂ）の円筒歯車１００は、（Ａ）と同じものであるが、（Ｂ）のクラウニング付歯車３００は、（Ａ）のクラウニング付歯車２００とは基本構成が本質的に相違している。
【００５９】
従来例のクラウニング付歯車２００を示す（Ａ）においては、ピッチ円２０１のみが軸方向両端間で仮想の円弧形状に沿って形成されており、歯底２０２と歯先２０３は仮想の円筒形状に沿って形成されている。
【００６０】
これに対し、本発明のクラウニング付歯車３００を示す（Ｂ）においては、歯先３０３のみが軸方向両端間で仮想の円筒形状に沿って形成されており、ピッチ円３０１が軸方向両端間で仮想の円弧形状の曲面に沿って形成されており、歯底３０２が軸方向両端間で仮想の円弧形状の曲面に沿って形成されている。
【００６１】
なお、図１２には示されていないが、クラウニング付歯車３００の両端の一方又は両方に種々の表面形状の部分を付加することも可能である。
【実施例１】
【００６２】
図１〜７を参照して、中心に貫通穴のあるクラウニング付歯車を製造する一連の工程を説明する。
【００６３】
図１に符号１０で示されているのは、クラウニングなしの歯形を有する円筒歯車である被加工品である。このような被加工品１０を予め数多く準備しておく。
【００６４】
被加工品１０は、中心に貫通穴１０ｃが形成されていて、図２に示すように、その貫通穴１０ｃにセンターピン２６を入れた状態のまま、被加工品１０の上側部分１０ｂと下側部分１０ａにクラウニングを付ける。
【００６５】
内側に円筒歯形１２ａを有するとともに外側に上側係合面１２ｂ及び下側係合面１２ｃを有しかつ弾性変形し得る型１２（図５を参照して後述する）と、型１２の下側係合面１２ｃを設定するためのテーパ穴１４ａを有するリング１４とが設けられる。
【００６６】
図１に示すように型１２の下側係合面１２ｃがリング１４のテーパ穴１４ａに設定された状態において、型１２の下側部分がそのテーパ穴付リング１４によって内向きに押圧されて、型１２の円筒歯形の下側部分１２ｃの歯先が円弧状の面（仮想の面）に沿って弾性変形される。そのとき、型１２の円筒歯形の上側部分は本来の円筒形状に維持されている。
【００６７】
図１に示すように、図示しない設定手段によって、円筒歯車である被加工品１０が型１２の入口１２ｄのところに設定される。
【００６８】
その後、パンチスリーブ１６が図１の位置から下降して、図２の位置に到来する間に、被加工品１０は、型１２によって「突き出し」加工される。すなわち、被加工品１０が型１２の入口１２ｄから中に入り軸心方向にセンターピン２６によってガイドされながら図２に示す最奥位置まで移動していく間に、被加工品１０の上端面のみをパンチスリーブ１６の下端で押圧して、とくに、被加工品１０の下側部分が金型１２の下側部分を通過していくとき、被加工品１０の歯底全体を含めてピッチ円を越えるところまで非常に広い範囲にわたって型１２の歯形に接触させて被加工品１０の歯形を型１２の歯形によって圧縮すると同時に、被加工品１０の歯先を半径の外向き方向に突き出す。そのとき、被加工品１０の歯先と型１２の歯形との間に隙間が存在する。このような「突き出し」加工によって、被加工品１０の下側部分１０ａにクラウニング付歯形が成形される。このとき、図２に示すように、被加工品１０の円筒歯形の上側部分１０ｂは円筒形状を維持している。
【００６９】
外側パンチ１８は、パンチスリーブ１６と同一軸芯上に配置されていて、下降位置で金型１２の上側係合面１２ｂと係合する内側テーパ１８ａを有する。
【００７０】
冷間鍛造のとき、外側パンチ１８は、パンチスリーブ１６よりもタイミング的に少し遅れて下降する。すると、図３に示すように、型１２の上側係合面１２ｂが外側パンチ１８の内側テーパ１８ａによって押圧されて、型１２の上側部分１２ｆが内向きに弾性変形され、被加工品１０の上側部分１０ｂにクラウニング付歯形が成形される。
【００７１】
型１２の下端に位置決め座金２０を設けて、テーパ穴付リング１４に対する型１２の位置を最適位置に決めることにより、クラウニング量を最適値に調整する。例えば、種々の高さの座金２０を予め準備しておいて、適当な高さの座金２０を選んで使用する。
【００７２】
また、この座金２０と組み合わせて、テーパ穴付リング１４に対する外側パンチ１８の停止位置を調整するために、調整手段２２が設けられている。この外側パンチ１８の停止位置を調整する調整手段２２は、締付リング２４と外側パンチ停止位置調整座金２５で構成するのが好ましい。
【００７３】
テーパ穴付きリング１４は、バックプレート３０の上面に同一軸芯上にセットされている。ダイケース３２がそれらのバックプレート３０とテーパ穴付リング１４を取り囲む形で固定している。締付リング２４は、ダイケース３２の上端にボルト３１によって固定されて、座金２５を締めつけている。
【００７４】
図４に示されているクラウニング付歯車３００（詳細は図１２を参照）は、被加工品１０の下側部分１０ａと上側部分１０ｂの両方に図３に示されているようにクラウニングが形成されたあと、ノックアウトスリーブ４０の上端によってクラウニング付歯車３００の下端が押し上げられ、歯車３００全体が金型１２の外側に出る。このあと、さらに設定手段（図示せず）によって歯車３００は所定位置に移送される。
【００７５】
図５は、前述の実施例１に使用する金型１２の具体例を示している。
【００７６】
図５に示すように、金型１２は、テーパ穴付リング１４に設定する前の状態において、クラウニング付歯車３００（図１２）の歯底の円弧形状に相当する円弧形状が金型１２の外側の所定の領域Ｂに形成されており、金型１２の内側には円筒歯形１２ａが形成されている。金型１２は、弾性変形する型材で作られている。
【００７７】
好ましくは、被加工品１０の歯幅に相当する領域Ｂにおいて金型１２の環状外表面が縦断面でみて前述のような円弧形状になっており、その領域Ｂの上側半分（Ｂ／２）に上側係合面１２ｂが形成されており、下側半分（Ｂ／２）に下側係合面１２ｃが形成されている。クラウニング付歯車３００（図１２）が形成できるのであれば、上側係合面１２ｂと下側係合面１２ｃとが１つの大きな円弧形状に構成されていてもよいし、２つ以上の円弧形状の組合せやその他の構成であってもよい。
【００７８】
上側係合面１２ｂと下側係合面１２ｃは、図５に示すように、仮想の円錐面７０（円筒面ではない）を基準にして、テーパに沿って断面凹形の円弧形状の表面にするのが好ましい。そして、弾性変形をしやすくするために、金型１２の厚みが、入口で小さく、最奥位置で大きくなっている。例えば、金型１２の下端部の厚みを円筒歯形１２ａの歯高の１〜２倍にし、かつ、金型１２の領域Ｂの上端部の厚みを円筒歯形１２ａの歯高とほぼ同一かそれよりも少し大きくして（例えば１〜１．５倍にして）、弾性変形を良好にするのが好ましい。さらに、金型１２の入口１２ｄにピッチ円（Ｐ）よりも径の大きいガイド部１２ｈを設けるのが好ましい。符号７５は、金型１２の下端部の想定上の最小縮径位置を示す。
【００７９】
図５に示す金型１２を、図６に拡大して示すテーパ穴付リング１４のテーパ穴１４ａに設定すると、図７に示すような状態になる。このとき、金型１２の下側部分１２ｇにクラウニングが付く。
【実施例２】
【００８０】
図８〜１１を参照して、貫通穴のないクラウニング付歯形を製造する一連の工程を説明する。
【００８１】
同一の参照符号は、図１〜１２において実質的に同一の部材や部分を示す。
【００８２】
図８〜１１の実施例においては、被加工品１１０が貫通穴を有していない。それゆえ、センターピンを用いない。
【００８３】
内側に円筒歯形を有するとともに外側に下側係合面１２ｃと上側係合面１２ｂを有しかつ弾性変形し得る型１２（ダイスやコアともいう）と、テーパ穴付リング１４と、内側テーパ穴１８ａを有する外側パンチ１８とを巧みに組合わせる。
【００８４】
テーパ穴付リング１４のテーパ穴１８ａに型１２の下側係合面１２ｃを設定する。とくに、リング１４のテーパ穴１４ａと型１２の下側係合面１２ｃとを係合させて、型１２の円筒歯形の下側部分を円弧状に弾性変形させる。そのとき、型１２の円筒歯形の上側部分は本来の円筒形状のままにしておく。
【００８５】
冷間鍛造のために、被加工品１１０を型１２の中に挿入する。まず、被加工品１１０の下側部分に型１２の弾性変形された下側部分でクラウニング付歯形を成形する。そのとき、被加工品１１０の上側部分は、クラウニングなしの円筒形状のままとする。
【００８６】
その後、外側パンチ１８を下降させて、型１２の上側係合面１２ｂに外側パンチ１８の内側テーパ１８ａを係合させる。そのとき、外側パンチ１８によって型１２の上側部分が押圧されて内向きに弾性変形される。そのように弾性変形された型１２の上側部分によって、被加工品１１０の上側部分が押圧され、そこにクラウニング付歯形が冷間鍛造の形で成形される。
【００８７】
次に、外側パンチ１８が上昇して、外側パンチ１８が型１２と係合しなくなったとき、弾性変形されていた型１２の上側部分の形状は元の状態に復帰する。
【００８８】
被加工品１１０の下側部分及び上側部分にクラウニング付歯形を成形するとき、「突き出し」加工を採用する。被加工品１１０の歯形の歯先と型の歯形の歯底との間に、軸方向両端間の全長にわたって、隙間を維持する。冷間鍛造の途中、被加工品の歯形の歯先と型の歯形の歯底とが全く接触しないようにする。
【００８９】
クラウニング付歯車を製造する装置においては、被加工品１１０の上方にパンチピン１１６を設け、被加工品１１０の下方にノックアウトピン１４０を設け、さらに、内側に円筒歯形を有するとともに外側に上側係合面１２ｂ及び下側係合面１２ｃを有しかつ弾性変形する型１２と、型１２の外側に配置する、内側テーパ１８ａを有する外側パンチ１８と、型１２を内側に設定するためのテーパ穴付リング１４とを設ける。
【００９０】
型１２の下側係合面１２ｃがリング１４のテーパ穴１４ａの所定位置に設定された状態において、型１２の下側部分がテーパ穴付リング１４に内向きに押圧されて、型１２の円筒歯形の下側部分が円弧状に内向きに弾性変形されている。このとき、型１２の円筒歯形の上側部分は、本来の円筒形状に維持されている。
【００９１】
そのような状態において、円筒歯車である被加工品１１０が型１２の最奥位置まで挿入されて、被加工品１１０の下側部分にクラウニング付歯形が冷間鍛造で成形される。このとき、被加工品１１０の上側部分の歯形は円筒形状に維持されている。
【００９２】
外側パンチ１８は、型１２の上側係合面１２ｂに係合して型１２の上側部分を内向きに変形させるための内側テーパ１８ａを有する。
【００９３】
外側パンチ１８が下降すると、型１２の上側係合面１２ｂが外側パンチ１８の内側テーパ１８ａによって押圧されて、型１２の上側部分が内向きに弾性変形され、被加工品１１０の上側部分にクラウニング付歯形が冷間鍛造で成形される。
【００９４】
被加工品１１０の上側部分と下側部分に同一のクラウニング量を付けたり互いに異なるクラウニング量を付けたりするために、座金２０、２５を使用する。例えば、型１２の下端に位置決め用の座金２０を設けて、テーパ穴付リング１４に対する型の位置を適当に決めることにより、被加工品１１０の下側部分のクラウニング量を調整する。このような型１２の位置決め用の座金２０と組み合わせて、テーパ穴付リング１４の上面に外側パンチ１８を所望位置に停止させるための位置調整手段２２（最適には締付リング２４と座金２５で構成する）を設けて、外側パンチ１８の停止位置を調節して、被加工品１１０の上側部分のクラウニングを調整する。
【００９５】
これらの座金２０、２５の高さは、単数の座金を入れかえて調整してもよいし、複数の座金の組合わせを変更して調整してもよい。
【００９６】
このように、被加工品１０、１１０が貫通穴を有するか否かにかかわらず、被加工品１０、１１０の下側部分にクラウニングを形成するとき、「突き出し」加工をするのが好ましい。
【００９７】
前述の実施例１及び２は、次のような効果を奏する。
【００９８】
図１２の（Ａ）に示す従来の歯面研磨法は、周知のとおり、円盤状の砥石を使用するため、歯車の形状によっては、砥石が被加工品に干渉する。そのため、ねじれ角の大きいヘリカル歯車や、フランジ付歯車は、加工不能である。
【００９９】
シェービン加工の場合も、ホブが円筒であるため、同様の不都合が生じる。
【０１００】
本発明によれば、このような不都合が生じない。
【０１０１】
本発明に用いる金型は、製作が容易である。例えば、金型の内側の円筒歯形はワイヤカット方式で放電加工すれば、正確な円筒歯形を簡単に形成できる。金型の外側の上側係合面、下側係合面その他は、周知の方法で機械加工をすることができる。
【０１０２】
また、油圧プレスを使用して機械を作動して、クラウニングの塑性成形をすると、成形圧力を一定に制御しやすく、精度にバラツキが少なくなり、しかも、金型の寿命が長くなる。
【０１０３】
なお、図１〜１２には、見やすくするために、クラウニング量が誇大に示されているが、例えば、クラウニング量は、数ミクロン〜十数ミクロンとし、千分の一ミリ単位で設計されることが多い。
【０１０４】
また、前述のクラウニング付歯車の製造方法及び装置によれば、型の位置決め座金や、外側パンチ停止位置調整座金を入れ替えることにより容易にかつ正確に歯車の上側部分と下側部分についてクラウニングの大きさを別々に調節することができる。
【０１０５】
外側パンチ停止位置調整座金は、型に掛かる過大荷重を防ぐと共に、外側パンチの下降位置を正確に位置決めして、型の圧縮変形量（クラウニング量）を所望の値にしやすい。
【０１０６】
さらに、型の端面に外側パンチが当接しないため、必要最低限の荷重でクラウニング成形を行なえる。
【０１０７】
また、パンチスリーブとノックアウトスリーブの加圧機構に油圧シリンダーを用いて、圧力一定とすれば、被加工品に加わる荷重を一定にしやすい。
【０１０８】
加工ロット毎の変化に対しては油圧の圧力を調節して、クラウニング量の変化を小さくできる。これにより高精度でバラツキの小さいクラウニング成形の量産が可能になる。
【０１０９】
変形率が０．０２５〜０．０５％の圧縮変形と想定すれば、型の縮径（変形）に対する耐久性は、通常の型鋼を使用すれば充分である。
【手続補正２】
【補正対象書類名】特許請求の範囲
【補正対象項目名】全文
【補正方法】変更
【補正の内容】
【特許請求の範囲】
【請求項１】
歯先が軸方向両端間で円筒形状の面に沿って形成されており、ピッチ円が軸方向両端間で円弧形状の曲面に沿って形成されており、歯底が軸方向両端間で円弧形状の曲面に沿って形成されているクラウニング付歯車を冷間鍛造によって製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を、ピッチ円が軸方向に円弧形状の曲面に沿うように弾性変形させ、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【請求項２】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項１に記載のクラウニング付歯車の製造方法。
【請求項３】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、
次に、型の上側係合面に外側パンチの内側テーパを押圧して型の上側部分を内向きに弾性変形させて、被加工品の上側部分にクラウニング付歯形を形成することを特徴とする請求項１又は２に記載のクラウニング付歯車の製造方法。
【請求項４】
被加工品の上側部分と下側部分に同一のクラウニング量を付けることを特徴とする請求項１に記載のクラウニング付歯車の製造方法。
【請求項５】
被加工品の上側部分と下側部分に互いに異なるクラウニング量を付けることを特徴とする請求項１に記載のクラウニング付歯車の製造方法。
【請求項６】
被加工品の中心に貫通穴が形成されていて、その貫通穴にセンターピンを入れた状態のまま、被加工品の上側部分と下側部分にクラウニングを付けることを特徴とする請求項１〜５のいずれか１項に記載のクラウニング付歯車の製造方法。
【請求項７】
被加工品の中心に貫通穴が形成されておらず、センターピンを使用せずに、型に入れたまま、被加工品の上側部分と下側部分にクラウニングを付けることを特徴とする請求項１〜５のいずれか１項に記載のクラウニング付歯車の製造方法。
【請求項８】
歯先が軸方向両端間で円筒形状の面に沿って形成されており、ピッチ円が軸方向両端間で円弧形状の曲面に沿って形成されており、歯底が軸方向両端間で円弧形状の曲面に沿って形成されているクラウニング付歯車を冷間鍛造によって製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【請求項９】
型の下端に位置決め座金を設けて、テーパ穴付リングに対する型の位置を決めることによりクラウニング量を調整することを特徴とする請求項８に記載のクラウニング付歯車の製造装置。
【請求項１０】
クラウニング量を調整するために、テーパ穴付リングの上に外側パンチ停止位置調整手段が設けられていることを特徴とする請求項８又は９に記載のクラウニング付歯車の製造装置。
【請求項１１】
被加工品の中心に貫通穴が形成されており、その貫通穴にセンターピンを入れた状態のまま、外側パンチ、パンチスリーブ及びノックアウトスリーブを用いて、被加工品の上側部分と下側部分にクラウニングを形成することを特徴とする請求項８〜１０のいずれか１項に記載のクラウニング付歯車の製造装置。
【請求項１２】
被加工品の中心に貫通穴が形成されておらず、センターピンを使用せずに、外側パンチ、パンチピン及びノックアウトピンを用いて、被加工品の上側部分と下側部分にクラウニングを形成することを特徴とする請求項８〜１０のいずれか１項に記載のクラウニング付歯車の製造装置。
【請求項１３】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項８〜１２のいずれか１項に記載のクラウニング付歯車の製造装置。
【請求項１４】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、続いて、型の上側係合面に外側パンチの内側テーパを押圧して型の上側部分を内向きに弾性変形させて、被加工品の上側部分にクラウニング付歯形を形成することを特徴とする請求項８〜１３のいずれか１項に記載のクラウニング付歯車の製造装置。
【手続補正書】
【提出日】平成21年11月18日(2009.11.18)
【手続補正１】
【補正対象書類名】明細書
【補正対象項目名】００１２
【補正方法】変更
【補正の内容】
【００１２】
（１）  歯先が軸方向両端間で円筒形状の面に沿って形成されており、ピッチ円の位置している曲線が軸方向両端間で円弧形状に沿っており、歯底が軸方向両端間で円弧形状の曲面に沿って形成されているクラウニング付歯車を冷間鍛造によって製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を弾性変形させて、ピッチ円の位置している曲線が円弧形状に沿うようにし、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【手続補正２】
【補正対象書類名】明細書
【補正対象項目名】００１９
【補正方法】変更
【補正の内容】
【００１９】
（８）歯先が軸方向両端間で円筒形状の面に沿って形成されており、ピッチ円が軸方向両端間で円弧形状の曲線に沿って位置しており、歯底が軸方向両端間で円弧形状の曲面に沿って形成されているクラウニング付歯車を冷間鍛造によって製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【手続補正３】
【補正対象書類名】明細書
【補正対象項目名】００２８
【補正方法】変更
【補正の内容】
【００２８】
本発明によるクラウニング付歯車においては、歯先が軸方向両端間で円筒形状の面に沿って形成されており、ピッチ円が軸方向両端間で円弧形状の曲線に沿って位置しており、歯底が軸方向両端間で円弧形状の曲面に沿って形成されている。歯車の一端側の第１部分と他端側の第２部分（鍛造加工時の状態で見れば上側部分と下側部分）に同一のクラウニング量を付けてもよいし、互いに異なるクラウニング量を付けてもよい。
【手続補正４】
【補正対象書類名】明細書
【補正対象項目名】００３６
【補正方法】変更
【補正の内容】
【００３６】
型の下側係合面がテーパ穴付リングのテーパの所定位置に設定された状態において、型の下側部分がテーパ穴付リングによって内向きに押圧されて、型の円筒歯形の下側部分は、ピッチ円の位置している曲線が仮想の円弧状に沿うように内向きに弾性変形されている。このとき、型の円筒歯形の上側部分は、本来の円筒形状に維持されている。
【手続補正５】
【補正対象書類名】明細書
【補正対象項目名】００５６
【補正方法】変更
【補正の内容】
【００５６】
図１２において、上側の（Ａ）は、歯面研磨法によって円筒歯車１００を研磨してクラウニング付歯車２００に製造する従来例を示している。この場合、円筒歯車１００は、ピッチ円の位置する直線１０１、歯底１０２および歯先１０３が、すべて軸方向両端間で円筒形状に沿っているのに対し、クラウニング付歯車２００は、ピッチ円の位置する曲線２０１が軸方向両端間で円弧形状に沿っている。
【手続補正６】
【補正対象書類名】明細書
【補正対象項目名】００５９
【補正方法】変更
【補正の内容】
【００５９】
従来例のクラウニング付歯車２００を示す（Ａ）においては、ピッチ円が軸方向両端間で仮想の円弧形状の曲線２０１に沿って位置しており、歯底２０２と歯先２０３は仮想の円筒形状に沿って形成されている。
【手続補正７】
【補正対象書類名】明細書
【補正対象項目名】００６０
【補正方法】変更
【補正の内容】
【００６０】
これに対し、本発明のクラウニング付歯車３００を示す（Ｂ）においては、歯先３０３のみが軸方向両端間で仮想の円筒形状に沿って形成されており、ピッチ円の位置する曲線３０１が軸方向両端間で仮想の円弧形状に沿っており、歯底３０２が軸方向両端間で仮想の円弧形状の曲面に沿って形成されている。
【手続補正８】
【補正対象書類名】特許請求の範囲
【補正対象項目名】全文
【補正方法】変更
【補正の内容】
【特許請求の範囲】
【請求項１】
歯先が軸方向両端間で円筒形状の面に沿って形成されており、ピッチ円の位置している曲線が軸方向両端間で円弧形状に沿っており、歯底が軸方向両端間で円弧形状の曲面に沿って形成されているクラウニング付歯車を冷間鍛造によって製造する方法において、
予めクラウニングなしの歯形を有する円筒歯車である被加工品を準備しておき、
内側に円筒歯形を有するとともに外側に上側係合面と下側係合面を有しかつ弾性変形する型を使用して、型の下側係合面をテーパ穴付リングに設定して、型の円筒歯形の下側部分を弾性変形させて、ピッチ円の位置している曲線が円弧形状に沿うようにし、かつ、型の円筒歯形の上側部分は円筒形状のままとし、
被加工品を型の中に挿入して、まず、被加工品の下側部分に型の弾性変形された下側部分でクラウニング付歯形を冷間鍛造によって成形し、そのとき、被加工品の上側部分はクラウニングなしの円筒形状のままとし、
その後、型の上側係合面に外側パンチの内側テーパを押圧して型の上側部分を内向きに弾性変形させて、被加工品の上側部分にクラウニング付歯形を冷間鍛造によって成形することを特徴とするクラウニング付歯車の製造方法。
【請求項２】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項１に記載のクラウニング付歯車の製造方法。
【請求項３】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、
次に、型の上側係合面に外側パンチの内側テーパを押圧して型の上側部分を内向きに弾性変形させて、被加工品の上側部分にクラウニング付歯形を形成することを特徴とする請求項１又は２に記載のクラウニング付歯車の製造方法。
【請求項４】
被加工品の上側部分と下側部分に同一のクラウニング量を付けることを特徴とする請求項１に記載のクラウニング付歯車の製造方法。
【請求項５】
被加工品の上側部分と下側部分に互いに異なるクラウニング量を付けることを特徴とする請求項１に記載のクラウニング付歯車の製造方法。
【請求項６】
被加工品の中心に貫通穴が形成されていて、その貫通穴にセンターピンを入れた状態のまま、被加工品の上側部分と下側部分にクラウニングを付けることを特徴とする請求項１〜５のいずれか１項に記載のクラウニング付歯車の製造方法。
【請求項７】
被加工品の中心に貫通穴が形成されておらず、センターピンを使用せずに、型に入れたまま、被加工品の上側部分と下側部分にクラウニングを付けることを特徴とする請求項１〜５のいずれか１項に記載のクラウニング付歯車の製造方法。
【請求項８】
歯先が軸方向両端間で円筒形状の面に沿って形成されており、ピッチ円の位置している曲線が軸方向両端間で円弧形状に沿っており、歯底が軸方向両端間で円弧形状の曲面に沿って形成されているクラウニング付歯車を冷間鍛造によって製造する装置において、
内側に円筒歯形を有するとともに外側に上側係合面と下側係合面を有しかつ弾性変形する型と、型の下側係合面を設定するためのテーパ穴付リングとを設け、型の下側係合面がテーパ穴付リングに設定された状態において型の下側係合面がテーパ穴付リングに押圧されて、型の円筒歯形の下側部分が円弧状に弾性変形されているとともに、型の円筒歯形の上側部分が円筒形状に維持され、その状態において、円筒歯形を有する被加工品が型の中に挿入されて、被加工品の下側部分にクラウニング付歯形を成形するとともに、被加工品の上側部分の歯形は円筒形状を維持し、
外側パンチが内側テーパを有し、型の上側係合面が外側パンチの内側テーパによって押圧されて、型の上側部分が内向きに弾性変形され、被加工品の上側部分にクラウニング付歯形が成形されることを特徴とするクラウニング付歯車の製造装置。
【請求項９】
型の下端に位置決め座金を設けて、テーパ穴付リングに対する型の位置を決めることによりクラウニング量を調整することを特徴とする請求項８に記載のクラウニング付歯車の製造装置。
【請求項１０】
クラウニング量を調整するために、テーパ穴付リングの上に外側パンチ停止位置調整手段が設けられていることを特徴とする請求項８又は９に記載のクラウニング付歯車の製造装置。
【請求項１１】
被加工品の中心に貫通穴が形成されており、その貫通穴にセンターピンを入れた状態のまま、外側パンチ、パンチスリーブ及びノックアウトスリーブを用いて、被加工品の上側部分と下側部分にクラウニングを形成することを特徴とする請求項８〜１０のいずれか１項に記載のクラウニング付歯車の製造装置。
【請求項１２】
被加工品の中心に貫通穴が形成されておらず、センターピンを使用せずに、外側パンチ、パンチピン及びノックアウトピンを用いて、被加工品の上側部分と下側部分にクラウニングを形成することを特徴とする請求項８〜１０のいずれか１項に記載のクラウニング付歯車の製造装置。
【請求項１３】
被加工品の下側部分及び上側部分にクラウニング付歯形を成形するときに、被加工品の歯形の歯先と型の歯形の歯底との間に、軸方向両端間の全長にわたって、隙間が維持されることを特徴とする請求項８〜１２のいずれか１項に記載のクラウニング付歯車の製造装置。
【請求項１４】
被加工品の下側部分にクラウニングを形成するときに、被加工品を型の入口から中に入れて型の軸心方向に型の最奥位置まで移動させる間に、被加工品の一方の端面のみを型の軸心方向に押圧して、被加工品の歯形の歯底全体を含めてピッチ円を越えるところまで型の歯形に接触させて被加工品の歯形の歯底を型の歯形によって歯形の半径方向の内向きに圧縮し、それと同時に、被加工品の歯先を歯形の半径方向の外向きに突き出し、その突き出しのときに被加工品の歯形の歯先が型の歯形に接触しない状態を維持し、続いて、型の上側係合面に外側パンチの内側テーパを押圧して型の上側部分を内向きに弾性変形させて、被加工品の上側部分にクラウニング付歯形を形成することを特徴とする請求項８〜１３のいずれか１項に記載のクラウニング付歯車の製造装置。